(57)【特許請求の範囲】
【請求項１】
一端が接地に接続された単相交流発電機のコイルの他端が、接続される第１の入力端子と、
アノード側が前記接地に接続されたＬＥＤ素子のカソード側が、接続される第２の入力端子と、
負荷が接続される出力端子と、
前記接地に接続される接地端子と、
前記第１の入力端子に一端が接続され、前記第２の入力端子に他端が接続された第１のスイッチ素子と、
前記第１のスイッチ素子を制御する第１の制御回路と、
前記出力端子に一端が接続され、前記第１の入力端子に他端が接続された第２のスイッチ素子と、
前記第２のスイッチ素子を制御する第２の制御回路と、を備え、
前記第１の制御回路は、
前記単相交流発電機から出力された前記第１の入力端子の出力電圧が第１極性の場合において、前記第１のスイッチ素子をオンし、
一方、前記出力電圧が第２極性の場合において、前記第１のスイッチ素子をオフし、
前記第２の制御回路は、
前記出力電圧が前記第２極性の場合において、前記出力端子と前記接地との間に接続されたバッテリの充電電圧が規定電圧未満のときは、前記第２のスイッチ素子をオンし、
一方、前記充電電圧が前記規定電圧以上のときは、前記第２のスイッチ素子をオフし、
前記第１極性は、負の極性であり、
前記第２極性は、正の極性であり、
前記第１のスイッチ素子は、前記第１の入力端子にカソードが接続され、前記第２の入力端子にアノードが接続された第１のサイリスタであり、
前記第２のスイッチ素子は、前記出力端子にカソードが接続され、
前記第１の入力端子にアノードが接続された第２のサイリスタであり、
前記第１の制御回路は、
前記第２の入力端子に一端が接続された第１の分圧抵抗と、
前記第１の分圧抵抗の他端に一端が接続され、前記接地端子に他端が接続された第２の分圧抵抗と、
前記第１の分圧抵抗の他端にアノードが接続されたダイオードと、
前記ダイオードのカソードと前記接地端子との間に接続された平均化コンデンサと、
ノコギリ波または三角波である発振信号を生成し出力する発振回路と、
前記ダイオードのカソードに一端が接続された平均化抵抗と、
前記発振信号と前記平均化抵抗の他端の比較電圧とが入力され、前記発振信号と前記比較電圧とを比較した結果に基づいて、前記第１のサイリスタを制御するコンパレータと、を有する
ことを特徴とするＬＥＤランプ点灯制御回路。
【請求項２】
前記第２の入力端子と前記接地との間で、電流を制限する制限抵抗が、前記ＬＥＤ素子と直列に、接続されている
ことを特徴とする請求項１に記載のＬＥＤランプ点灯制御回路。
【請求項３】
前記第１の制御回路は、
前記単相交流発電機から出力された前記第１の入力端子の出力電圧が第１極性の場合において、前記出力電圧の大きさが目標電圧以上になると、前記第１のサイリスタをオンすることを特徴とする請求項１に記載のＬＥＤランプ点灯制御回路。
【請求項４】
前記コンパレータは、
前記出力電圧が負の極性の場合において、前記比較電圧の大きさが前記発振信号の大きさ未満のときは、前記第１のサイリスタをオフし、前記比較電圧の大きさが前記発振信号の大きさ以上のときは、前記第１のサイリスタをオンし、
一方、前記出力電圧が正の極性の場合において、前記第１のサイリスタをオフする
ことを特徴とする請求項３に記載のＬＥＤランプ点灯制御回路。
【請求項５】
前記第１の制御回路は、前記コンパレータの出力と前記サイリスタのゲートとの間に接続された抵抗をさらに有する
ことを特徴とする請求項４に記載のＬＥＤランプ点灯制御回路。
【請求項６】
前記第１の制御回路は、
前記第２の入力端子に一端が接続された第１の抵抗と、
前記第１の抵抗の他端にカソードが接続された第１のダイオードと、
前記第１のダイオードのアノードに一端が接続され、前記接地端子に他端が接続された第２の抵抗と、
前記第１のダイオードのアノードと前記接地端子との間で、前記第
２の抵抗と並列に接続された第１のコンデンサと、
前記第１のダイオードのアノードに一端が接続された第３の抵抗と、
前記第３の抵抗の他端にアノードが接続されたショットキーバリアダイオードと、
前記ショットキーバリアダイオードのカソードに一端が接続され、前記接地端子に他端が接続された第４の抵抗と、
前記第１の入力端子にカソードが接続された第２のダイオードと、
前記第２のダイオードのアノードに一端が接続された第５の抵抗と、
前記第５の抵抗の他端にコレクタが接続され、前記接地端子にエミッタが接続され、前記ショットキーバリアダイオードのカソードにベースが接続された第１のＰＮＰ型バイポーラトランジスタと、
前記第１のサイリスタのゲートに一端が接続された第６の抵抗と、
前記第６の抵抗の他端にカソードが接続された第３のダイオードと、
前記第３のダイオードのアノードにコレクタが接続され、前記接地端子にエミッタが接続され、前記第１のＰＮＰ型バイポーラトランジスタのコレクタにベースが接続された第２のＰＮＰ型バイポーラトランジスタと、
前記第２の入力端子に一端が接続され、前記接地端子に他端が接続された第２のコンデンサと、を有する
ことを特徴とする請求項１に記載のＬＥＤランプ点灯制御回路。
【請求項７】
前記第２の入力端子と前記接地との間で、電流を制限する制限抵抗が、前記ＬＥＤ素子と直列に、接続されていることを特徴とする請求項６に記載のＬＥＤランプ点灯制御回路。
【請求項８】
前記第２のコンデンサの容量値は、前記第１のコンデンサの容量値よりも大きいことを特徴とする請求項６に記載のＬＥＤランプ点灯制御回路。
【請求項９】
前記第２の制御回路は、前記第１の入力端子と前記接地端子との間の電圧、及び前記出力端子と前記接地端子との間の電圧に基づいて、前記第２のスイッチ素子を制御する
ことを特徴とする請求項１に記載のＬＥＤランプ点灯制御回路。
【請求項１０】
前記出力端子と前記接地端子との間にバッテリが接続されることを特徴とする請求項８に記載のＬＥＤランプ点灯制御回路。
【請求項１１】
前記第２の制御回路は、
前記出力電圧が正の極性の場合において、前記出力端子と前記接地との間に接続されたバッテリの充電電圧が規定電圧未満のときは、前記第２のサイリスタをオンし、一方、前記充電電圧が前記規定電圧以上のときは、前記第２のサイリスタをオフする
ことを特徴とする請求項１０に記載のＬＥＤランプ点灯制御回路。
【請求項１２】
前記第２の入力端子と前記接地との間で、複数の前記ＬＥＤ素子が直列に接続されている
ことを特徴とする請求項１に記載のＬＥＤランプ点灯制御回路。
【請求項１３】
一端が接地に接続された単相交流発電機のコイルの他端が、接続される第１の入力端子と、アノード側が前記接地に接続されたＬＥＤ素子のカソード側が、接続される第２の入力端子と、負荷が接続される出力端子と、前記接地に接続される接地端子と、前記第１の入力端子に一端が接続され、前記第２の入力端子に他端が接続された第１のスイッチ素子と、前記第１のスイッチ素子を制御する第１の制御回路と、前記出力端子に一端が接続され、前記第１の入力端子に他端が接続された第２のスイッチ素子と、前記第２のスイッチ素子を制御する第２の制御回路と、を備えたＬＥＤランプ点灯制御回路によるＬＥＤランプ点灯制御方法であって、
前記単相交流発電機から出力された前記第１の入力端子の出力電圧が第１極性の場合において、前記出力電圧の大きさが目標電圧以上になると、前記第１の制御回路により、前記第１のスイッチ素子をオンし、
一方、前記出力電圧が第２極性の場合において、前記第１の制御回路により、前記第１のスイッチ素子をオフするとともに、
前記出力電圧が前記第２極性の場合において、前記出力端子と前記接地との間に接続されたバッテリの充電電圧が規定電圧未満のときは、前記第２の制御回路により、前記第２のスイッチ素子をオンし、
一方、前記充電電圧が前記規定電圧以上のときは、前記第２の制御回路により、前記第２のスイッチ素子をオフし、
前記第１極性は、負の極性であり、
前記第２極性は、正の極性であり、
前記第１のスイッチ素子は、前記第１の入力端子にカソードが接続され、前記第２の入力端子にアノードが接続された第１のサイリスタであり、
前記第２のスイッチ素子は、前記出力端子にカソードが接続され、
前記第１の入力端子にアノードが接続された第２のサイリスタであり、
前記第１の制御回路は、
前記第２の入力端子に一端が接続された第１の分圧抵抗と、
前記第１の分圧抵抗の他端に一端が接続され、前記接地端子に他端が接続された第２の分圧抵抗と、
前記第１の分圧抵抗の他端にアノードが接続されたダイオードと、
前記ダイオードのカソードと前記接地端子との間に接続された平均化コンデンサと、
ノコギリ波または三角波である発振信号を生成し出力する発振回路と、
前記ダイオードのカソードに一端が接続された平均化抵抗と、
前記発振信号と前記平均化抵抗の他端の比較電圧とが入力され、前記発振信号と前記比較電圧とを比較した結果に基づいて、前記第１のサイリスタを制御するコンパレータと、を有する
ことを特徴とするＬＥＤランプ点灯制御方法。
【発明の詳細な説明】
【技術分野】
【０００１】
本発明は、ＬＥＤランプ点灯制御回路、および、ＬＥＤランプ点灯制御方法に関する。
【背景技術】
【０００２】
従来、例えば、２輪車などのヘッドランプは、一般的に、バルブなどのランプが用いられている（例えば、特許第４５９７１９４号、特許第４４８０８１７号参照。）。【０００３】
しかし、上記従来技術で適用されるバルブランプは、消費電力が大きい問題がある。そこで、２輪車などのヘッドランプに抵抗値が小さいＬＥＤランプの適用が考えられる。【０００４】
ここで、従来のＬＥＤランプのＬＥＤランプ点灯制御回路１００Ａは、単相交流発電機ＧのコイルＬに接続されたダイオードおよびサイリスタで構成される整流回路と、この整流回路を制御する制御回路ＣＯＮと、を備える（図４）。【０００５】
このＬＥＤランプ点灯制御回路１００Ａは、制御回路ＣＯＮにより整流回路を制御して、単相交流発電機Ｇで発電した電力をバッテリＢに充電し、このバッテリＢからＬＥＤランプに電力を供給する。【０００６】
しかし、上記従来のＬＥＤランプ点灯制御回路１００Ａでは、例えば、ＬＥＤランプの逆電圧ＶＲが低く、負荷などから負サージが発生した場合、または、バッテリＢの逆接時の逆電圧が印加された場合などにおいて、ＬＥＤ素子を保護するためのダイオードが別途必要になる。【０００７】
また、上記従来のＬＥＤランプ点灯制御回路１００Ａでは、ＬＥＤ素子に電力を供給するためのバッテリＢが必要となるため、バッテリＢを搭載しない車両には適用できない。
【発明の開示】
【０００８】
本発明の一態様に係る実施例に従ったＬＥＤランプ点灯制御回路は、
一端が接地に接続された単相交流発電機のコイルの他端が、接続される第１の入力端子と、
アノード側が前記接地に接続されたＬＥＤ素子のカソード側が、接続される第２の入力端子と、
負荷が接続される出力端子と、
前記接地が接続される接地端子と、
前記第１の入力端子に一端が接続され、前記第２の入力端子に他端が接続された第１のスイッチ素子と、
前記第１のスイッチ素子を制御する第１の制御回路と、
前記出力端子に一端が接続され、前記第１の入力端子に他端が接続された第２のスイッチ素子と、
前記第２のスイッチ素子を制御する第２の制御回路と、を備え、
前記第１の制御回路は、
前記単相交流発電機から出力された前記第１の入力端子の出力電圧が第１極性の場合において、前記第１のスイッチ素子をオンし、
一方、前記出力電圧が第２極性の場合において、前記第１のスイッチ素子をオフすることを特徴とする。
【０００９】
前記ＬＥＤランプ点灯制御回路において、
前記第１極性は、負の極性であり、
前記第２極性は、正の極性であり、
前記第１のスイッチ素子は、前記第１の入力端子にカソードが接続され、前記第２の入力端子にアノードが接続された第１のサイリスタであり、
前記第２のスイッチ素子は、前記出力端子にカソードが接続され、前記第１の入力端子にアノードが接続された第２のサイリスタである
ことを特徴とする。
【００１０】
前記ＬＥＤランプ点灯制御回路において、
前記第２の入力端子と前記接地との間で、電流を制限する制限抵抗が、前記ＬＥＤ素子と直列に、接続されている
ことを特徴とする。
【００１１】
前記ＬＥＤランプ点灯制御回路において、
前記第１の制御回路は、
前記単相交流発電機から出力された前記第１の入力端子の出力電圧が第１極性の場合において、前記出力電圧の大きさが目標電圧以上になると、前記第１のサイリスタをオンすることを特徴とする。
【００１２】
前記ＬＥＤランプ点灯制御回路において、
前記第１の制御回路は、
前記第２の入力端子に一端が接続された第１の分圧抵抗と、
前記第１の分圧抵抗の他端に一端が接続され、前記接地端子に他端が接続された第２の分圧抵抗と、
前記第１の分圧抵抗の他端にアノードが接続されたダイオードと、
前記ダイオードのカソードと前記接地端子との間に接続された平均化コンデンサと、
ノコギリ波または三角波である発振信号を生成し出力する発振回路と、
前記ダイオードのカソードに一端が接続された平均化抵抗と、
前記発振信号と前記平均化抵抗の他端の比較電圧とが入力され、前記発振信号と前記比較電圧とを比較した結果に基づいて、前記第１のサイリスタを制御するコンパレータと、を有する
ことを特徴とする。
【００１３】
前記ＬＥＤランプ点灯制御回路において、
前記コンパレータは、
前記出力電圧が負の極性の場合において、前記比較電圧の大きさが前記発振信号の大きさ未満のときは、前記第１のサイリスタをオフし、前記比較電圧の大きさが前記発振信号の大きさ以上のときは、前記第１のサイリスタをオンし、
一方、前記出力電圧が正の極性の場合において、前記第１のサイリスタをオフする
ことを特徴とする。
【００１４】
前記ＬＥＤランプ点灯制御回路において、
前記第１の制御回路は、前記コンパレータの出力と前記サイリスタのゲートとの間に接続された抵抗をさらに有する
ことを特徴とする。
【００１５】
前記ＬＥＤランプ点灯制御回路において、
前記第１の制御回路は、
前記第２の入力端子に一端が接続された第１の抵抗と、
前記第１の抵抗の他端にカソードが接続された第１のダイオードと、
前記第１のダイオードのアノードに一端が接続され、前記接地端子に他端が接続された第２の抵抗と、
前記第１のダイオードのアノードと前記接地端子との間で、前記第２の抵抗と並列に接続された第１のコンデンサと、
前記第１のダイオードのアノードに一端が接続された第３の抵抗と、
前記第３の抵抗の他端にアノードが接続されたショットキーバリアダイオードと、
前記ショットキーバリアダイオードのカソードに一端が接続され、前記接地端子に他端が接続された第４の抵抗と、
前記第１の入力端子にカソードが接続された第２のダイオードと、
前記第２のダイオードのアノードに一端が接続された第５の抵抗と、
前記第５の抵抗の他端にコレクタが接続され、前記接地端子にエミッタが接続され、前記ショットキーバリアダイオードのカソードにベースが接続された第１のＰＮＰ型バイポーラトランジスタと、
前記第１のサイリスタのゲートに一端が接続された第６の抵抗と、前記第６の抵抗の他端にカソードが接続された第３のダイオードと、
前記第３のダイオードのアノードにコレクタが接続され、前記接地端子にエミッタが接続され、前記第１のＰＮＰ型バイポーラトランジスタのコレクタにベースが接続された第２のＰＮＰ型バイポーラトランジスタと、
前記第２の入力端子に一端が接続され、前記接地端子に他端が接続された第２のコンデンサと、を有する
ことを特徴とする。
【００１６】
前記ＬＥＤランプ点灯制御回路において、
前記第２の入力端子と前記接地との間で、電流を制限する制限抵抗が、前記ＬＥＤ素子と直列に、接続されている
ことを特徴とする。
【００１７】
前記ＬＥＤランプ点灯制御回路において、
前記第２のコンデンサの容量値は、前記第１のコンデンサの容量値よりも大きいことを特徴とする。
【００１８】
前記ＬＥＤランプ点灯制御回路において、
前記第２の制御回路は、前記第１の入力端子と前記接地端子との間の電圧、及び前記出力端子と前記接地端子との間の電圧に基づいて、前記第２のスイッチ素子を制御する
ことを特徴とする。
【００１９】
前記ＬＥＤランプ点灯制御回路において、
前記出力端子と前記接地端子との間にバッテリが接続されることを特徴とする。
【００２０】
前記ＬＥＤランプ点灯制御回路において、
前記第２の制御回路は、
前記出力電圧が正の極性の場合において、前記出力端子と前記接地との間に接続されたバッテリの充電電圧が規定電圧未満のときは、前記第２のサイリスタをオンし、一方、前記充電電圧が前記規定電圧以上のときは、前記第２のサイリスタをオフする
ことを特徴とする。
【００２１】
前記ＬＥＤランプ点灯制御回路において、
前記第２の入力端子と前記接地との間で、複数の前記ＬＥＤ素子が直列に接続されている
ことを特徴とする。
【００２２】
本発明の一態様に係る実施例に従ったＬＥＤランプ点灯制御方法は、
一端が接地に接続された単相交流発電機のコイルの他端が、接続される第１の入力端子と、アノード側が前記接地に接続されたＬＥＤ素子のカソード側が、接続される第２の入力端子と、負荷が接続される出力端子と、前記接地が接続される接地端子と、前記第１の入力端子に一端が接続され、前記第２の入力端子に他端が接続された第１のスイッチ素子と、前記第１のスイッチ素子を制御する第１の制御回路と、前記出力端子に一端が接続され、前記第１の入力端子に他端が接続された第２のスイッチ素子と、前記第２のスイッチ素子を制御する第２の制御回路と、を備えたＬＥＤランプ点灯制御回路によるＬＥＤランプ点灯制御方法であって、
前記単相交流発電機から出力された前記第１の入力端子の出力電圧が第１極性の場合において、前記出力電圧の大きさが目標電圧以上になると、前記第１の制御回路により、前記第１のスイッチ素子をオンし、
一方、前記出力電圧が第２極性の場合において、前記第１の制御回路により、前記第１のスイッチ素子をオフする
ことを特徴とする。
【００２３】
本発明の一態様に係るＬＥＤランプ点灯制御回路は、第１の入力端子に一端が接続され、第２の入力端子に他端が接続された第１のスイッチ素子（第１のサイリスタ）と、第１のスイッチ素子を制御する第１の制御回路と、出力端子に一端が接続され、第１の入力端子に他端が接続された第２のスイッチ素子（第２のサイリスタ）と、第２のスイッチ素子を制御する第２の制御回路と、を備える。
【００２４】
第１の制御回路は、単相交流発電機から出力された第１の入力端子の出力電圧が第１極性（負の極性）の場合において、第１のスイッチ素子をオンする。一方、第１の制御回路は、出力電圧が第２極性（正の極性）の場合において、第１のスイッチ素子をオフする。
【００２５】
これにより、単相交流発電機から出力された第１の入力端子の第１極性（負の極性）の出力電圧がＬＥＤランプに供給される。一方、単相交流発電機から出力された第１の入力端子の第２極性（正の極性）の出力電圧はＬＥＤランプに供給されない。すなわち、単相交流発電機で発電された電力の負の成分がＬＥＤランプに供給される。
【００２６】
さらに、本発明に係るＬＥＤランプ点灯制御回路では、第１のスイッチ素子（第１のサイリスタ）により電流が制限される。
【００２７】
このため、従来技術において課題となっていた、負荷などから負サージが発生した場合、または、バッテリＢの逆接時の逆電圧が印加される場合などにおいても、本発明に係るＬＥＤランプ点灯制御回路では、ＬＥＤ素子を保護するための追加のダイオードが、不要になる。
【００２８】
したがって、本発明に係るＬＥＤランプ点灯制御回路は、ランプにＬＥＤランプを適用して消費電力を低減することにより、単相交流発電機の負荷の低減を図りつつ、バッテリを搭載しない車両にも適用可能にすることができる。
【図面の簡単な説明】
【００２９】
【図１】図１は、本発明の一態様である実施例１に係るＬＥＤランプ点灯制御システム１０００の構成の一例を示す図である。
【図２】図２は、本発明の一態様である実施例２に係るＬＥＤランプ点灯制御システム２０００の構成の一例を示す図である。
【図３】図３は、本発明の一態様である実施例３に係るＬＥＤランプ点灯制御システム３０００の構成の一例を示す図である。
【図４】図４は、従来のＬＥＤランプ点灯制御システム１０００Ａの構成の一例を示す図である。
【発明を実施するための最良の形態】
【００３０】
以下、本発明に係る各実施例について図面に基づいて説明する。
【実施例１】
【００３１】
図１は、本発明の一態様である実施例１に係るＬＥＤランプ点灯制御システム１０００の構成の一例を示す図である。【００３２】
図１に示すように、ＬＥＤランプ点灯制御システム１０００は、バッテリＢと、単相交流発電機Ｇと、ＬＥＤランプ点灯制御回路１００と、複数のＬＥＤ素子Ａと、制限抵抗ＲＸと、を備える。【００３３】
単相交流発電機Ｇは、一端が接地に接続され且つ他端がＬＥＤランプ点灯制御回路１００の第１の入力端子ＴＩＮ１に接続されたコイルＬを、有する。【００３４】
この単相交流発電機Ａは、バッテリＢを充電するとともにＬＥＤ素子Ａを点灯するための交流電圧を発生し出力するようになっている。【００３５】
この単相交流発電機Ａは、例えば、２輪車のエンジンに直結駆動されるオルタネータである。【００３６】
バッテリＢは、出力端子ＴＯＵＴと接地端子ＴＧとの間に接続されている。【００３７】
このバッテリＢは、＋端子（正側）と−端子（負側）を有し、これらの端子を介して充放電可能になっている。このバッテリＢは、例えば、２輪車のバッテリである。【００３８】
複数のＬＥＤ素子Ａは、ＬＥＤランプ点灯制御回路１００の第２の入力端子ＴＩＮ２と接地との間で、直列に接続されている。【００３９】
ＬＥＤ素子Ａは、例えば、２輪車のヘッドライト、テールランプ等のランプである。【００４０】
制限抵抗ＲＸは、第２の入力端子ＴＩＮ２と接地との間で、ＬＥＤ素子Ａと直列に、接続されている。【００４１】
この制限抵抗ＲＸは、ＬＥＤ素子Ａに流れる電流を制限するようになっている。  
なお、負荷（図示せず）は、接地と出力端子ＴＯＵＴとの間に接続されるようになっている。この負荷は、例えば、２輪車において電源を必要とする機器等の車両負荷である。【００４２】
また、ＬＥＤランプ点灯制御回路１００は、例えば、図１に示すように、第１の入力端子ＴＩＮ１と、第２の入力端子ＴＩＮ２と、出力端子ＴＯＵＴと、接地端子ＴＧと、第１のスイッチ素子（第１のサイリスタ）Ｓ１と、第２のスイッチ素子（第２のサイリスタ）Ｓ２と、第１の制御回路ＣＯＮ１と、第２の制御回路ＣＯＮ２と、を備える。【００４３】
なお、以下では、便宜的に、第１のスイッチ素子Ｓ１を、第１のサイリスタＳ１と表記し、第２のスイッチ素子Ｓ２を、第２のサイリスタＳ２と表記する場合がある。【００４４】
第１の入力端子ＴＩＮ１は、一端が接地に接続された単相交流発電機ＧのコイルＬの他端が、接続されるようになっている。【００４５】
第２の入力端子ＴＩＮ２は、アノード側が接地に接続されたＬＥＤ素子Ａのカソード側が、接続されるようになっている。【００４６】
出力端子ＴＯＵＴは、負荷（図示せず）が接続されるようになっている。【００４７】
接地端子ＴＧは、接地が接続されるようになっている。【００４８】
第１のスイッチ素子Ｓ１は、第１の入力端子ＴＩＮ１に一端が接続され、第２の入力端子ＴＩＮ２に他端が接続されている。【００４９】
この第１のスイッチ素子Ｓ１は、例えば、第１の入力端子ＴＩＮ１にカソードが接続され、第２の入力端子ＴＩＮ２にアノードが接続された第１のサイリスタである。【００５０】
第１の制御回路ＣＯＮ１は、第１のスイッチ素子（第１のサイリスタ）Ｓ１のゲートに信号を出力することにより、第１のスイッチ素子Ｓ１を制御するようになっている。【００５１】
例えば、第１の制御回路ＣＯＮ１は、単相交流発電機Ｇから出力された第１の入力端子ＴＩＮ１の出力電圧が第１極性（負の極性）の場合において、例えば、出力電圧の大きさが目標電圧以上になると、第１のスイッチ素子Ｓ１をオンするようになっている。【００５２】
一方、第１の制御回路ＣＯＮ１は、出力電圧が第２極性（正の極性）の場合において、第１のスイッチ素子Ｓ１をオフするようになっている。【００５３】
なお、後述の実施例のように、出力電圧が第１極性（負の極性）の場合に、ＬＥＤ素子Ａに電力を供給するコンデンサ（図示せず）に所定レベルの電荷が充電されるまで、第１のスイッチ素子Ｓ１をオンするようにしてもよい。この場合、上記コンデンサに、所定レベルの電荷が充電された後、このコンデンサがある程度放電する（コンデンサがＬＥＤ素子Ａにある程度電力を供給する）まで、第１のスイッチ素子Ｓ１はオフされる。【００５４】
また、第２のスイッチ素子Ｓ２は、出力端子ＴＯＵＴに一端が接続され、第１の入力端子ＴＩＮ１に他端が接続されている。【００５５】
この第２のスイッチ素子Ｓ２は、出力端子ＴＯＵＴにカソードが接続され、第１の入力端子ＴＩＮ１にアノードが接続された第２のサイリスタである。【００５６】
第２の制御回路ＣＯＮ２は、第２のスイッチ素子（第２のサイリスタ）Ｓ２のゲートに信号を出力することにより、第２のスイッチ素子（第２のサイリスタ）Ｓ２を制御するようになっている。【００５７】
この第２の制御回路ＣＯＮ２は、第１の入力端子ＴＩＮ１と接地端子ＴＧとの間の電圧、及び出力端子ＴＯＵＴと接地端子ＴＧとの間の電圧に基づいて、第２のスイッチ素子Ｓ２を制御するようになっている。【００５８】
例えば、第２の制御回路ＣＯＮ２は、出力電圧が第２極性（正の極性）の場合において、出力端子ＴＯＵＴと接地との間に接続されたバッテリＢの充電電圧が規定電圧未満のときは、第２のサイリスタＳ２をオンするようになっている。【００５９】
一方、第２の制御回路ＣＯＮ２は、バッテリＢの充電電圧が規定電圧以上のときは、第２のサイリスタＳ２をオフするようになっている。【００６０】
次に、以上のような構成を有するＬＥＤランプ点灯制御システム１０００におけるＬＥＤランプ点灯制御回路１００によるＬＥＤランプ点灯制御方法の一例について、説明する。【００６１】
例えば、第１の制御回路ＣＯＮ１は、単相交流発電機Ｇから出力された第１の入力端子ＴＩＮ１の出力電圧が第１極性（負の極性）の場合において、例えば、出力電圧の大きさが目標電圧以上になると、第１のスイッチ素子Ｓ１をオンする。【００６２】
これにより、単相交流発電機Ａの出力電圧の負側の成分が複数のＬＥＤ素子Ａに供給される。【００６３】
すなわち、ＬＥＤランプ点灯制御回路１００は、出力電圧が第１極性（負の極性）の場合において、出力電圧の大きさが目標電圧以上になると、ＬＥＤ素子Ａを点灯させる。【００６４】
一方、第１の制御回路ＣＯＮ１は、出力電圧が第２極性（正の極性）の場合において、第１のスイッチ素子Ｓ１をオフする。【００６５】
これにより、単相交流発電機Ａの出力電圧の正側の成分が複数のＬＥＤ素子Ａに供給されない。【００６６】
また、例えば、第２の制御回路ＣＯＮ２は、出力電圧が第２の極性（正の極性）の場合において、出力端子ＴＯＵＴと接地との間に接続されたバッテリＢの充電電圧が規定電圧未満のときは、第２のサイリスタＳ２をオンする。【００６７】
これにより、単相交流発電機Ａの出力電圧の正側の成分がバッテリＢに供給され、バッテリＢが充電される。【００６８】
また、第２の制御回路ＣＯＮ２は、バッテリＢの充電電圧が規定電圧以上のときは、第２のサイリスタＳ２をオフする。【００６９】
これにより、バッテリＢが過充電されないようになっている。【００７０】
以上のように、本実施例に係るＬＥＤランプ点灯制御回路は、第１の入力端子に一端が接続され、第２の入力端子に他端が接続された第１のスイッチ素子（第１のサイリスタ）と、第１のスイッチ素子を制御する第１の制御回路と、出力端子に一端が接続され、第１の入力端子に他端が接続された第２のスイッチ素子（第２のサイリスタ）と、第２のスイッチ素子を制御する第２の制御回路と、を備える。【００７１】
第１の制御回路は、単相交流発電機から出力された第１の入力端子の出力電圧が第１極性（負の極性）の場合において、出力電圧が目標電圧以上になると、第１のスイッチ素子をオンする。一方、第１の制御回路は、出力電圧が第２極性（正の極性）の場合において、第１のスイッチ素子をオフする。【００７２】
これにより、単相交流発電機から出力された第１の入力端子の第１極性（負の極性）の出力電圧がＬＥＤランプに供給される。一方、単相交流発電機から出力された第１の入力端子の第２極性（正の極性）の出力電圧はＬＥＤランプ（ＬＥＤ素子Ａ）に供給されない。【００７３】
すなわち、単相交流発電機で発電された電力の負の成分がＬＥＤランプに供給される。【００７４】
さらに、本実施例に係るＬＥＤランプ点灯制御回路では、第１のスイッチ素子（第１のサイリスタ）により電流が制限される。【００７５】
このため、従来技術において課題となっていた、負荷などから負サージが発生した場合、または、バッテリの逆接時の逆電圧が印加される場合などにおいても、本発明に係るＬＥＤランプ点灯制御回路では、ＬＥＤ素子を保護するための追加のダイオードが、不要になる。【００７６】
さらに、従来技術では、例えば、バッテリＢの出力電流を制限してＬＥＤを点灯させる場合、ＬＥＤの直列接続数が増加してＬＥＤの順方向降下電圧ＶＦの合計が１２Ｖ以上になると、ＬＥＤ素子を点灯させることができない。例えば、白色ＬＥＤの順方向降下電圧ＶＦは、１個あたり３〜４Ｖあるので、４個以上の直列接続では点灯できない。【００７７】
一方、本実施例に係るＬＥＤランプ点灯制御回路では、単相交流発電機の負側の電圧を全てＬＥＤ点灯に使用する。【００７８】
そして、単相交流発電機は、通常、バッテリを充電するためにピーク電圧はバッテリ電圧以上になるよう設計される。アイドリングなど単相交流発電機の回転数の低い時でも、充電量が確保できるように、例えば、１０００ｒｐｍで２０Ｖ、１５００ｒｐｍで３０Ｖ程度の電圧を発生させる。この電圧を使ってＬＥＤ素子を点灯させることができるので４個以上の直列接続されたＬＥＤ素子でも点灯させることができる。【００７９】
したがって、本実施例に係るＬＥＤランプ点灯制御回路は、ランプにＬＥＤランプを適用して消費電力を低減することにより、単相交流発電機の負荷の低減を図りつつ、バッテリを搭載しない車両にも適用可能にすることができる。
【実施例２】
【００８０】
本実施例２においては、ＬＥＤランプ点灯制御回路の第１の制御回路の構成を具体的にした構成の一例について説明する。【００８１】
ここで、図２は、本発明の一態様である実施例２に係るＬＥＤランプ点灯制御システム２０００の構成の一例を示す図である。なお、図２において、図１の符号と同じ符号は、実施例１と同様の構成を示す。【００８２】
図２に示すように、ＬＥＤランプ点灯制御システム２０００は、バッテリＢと、単相交流発電機Ｇと、ＬＥＤランプ点灯制御回路２００と、複数のＬＥＤ素子Ａと、制限抵抗ＲＸと、を備える。【００８３】
なお、図２に示すＬＥＤランプ点灯制御システム２０００の構成は、ＬＥＤランプ点灯制御回路２００以外は、図１に示すＬＥＤランプ点灯制御システム１０００と同様である。【００８４】
ここで、ＬＥＤランプ点灯制御回路２００は、例えば、図２に示すように、第１の入力端子ＴＩＮ１と、第２の入力端子ＴＩＮ２と、出力端子ＴＯＵＴと、接地端子ＴＧと、第１のスイッチ素子（第１のサイリスタ）Ｓ１と、第２のスイッチ素子（第２のサイリスタ）Ｓ２と、第１の制御回路ＣＯＮ１と、第２の制御回路ＣＯＮ２と、を備える。【００８５】
なお、図２に示すＬＥＤランプ点灯制御回路２００の構成は、第１の制御回路ＣＯＮ１の構成を具体的に記載している点以外は、図１に示すＬＥＤランプ点灯制御回路１００と同様である。【００８６】
図２に示すように、第１の制御回路ＣＯＮ１は、第１の分圧抵抗ＤＲ１と、第２の分圧抵抗ＤＲ２と、ダイオードＤと、平均化コンデンサＣａと、平均化抵抗Ｒａと、発振回路ＯＳＣと、コンパレータＣＯＭＰと、抵抗ＲＹと、を有する。【００８７】
第１の分圧抵抗ＤＲ１は、第２の入力端子ＴＩＮ２に一端が接続されている。【００８８】
第２の分圧抵抗ＤＲ２は、第１の分圧抵抗ＤＲ１の他端に一端が接続され、接地端子ＴＧに他端が接続されている。【００８９】
ダイオードＤは、第１の分圧抵抗ＤＲ１の他端にアノードが接続されている。【００９０】
平均化コンデンサＣａは、ダイオードＤのカソードと接地端子ＴＧとの間に接続されている。【００９１】
発振回路ＯＳＣは、ノコギリ波または三角波である発振信号を生成し出力するようになっている。【００９２】
平均化抵抗Ｒａは、ダイオードのカソードに一端が接続されている。【００９３】
抵抗ＲＹは、コンパレータＣＯＭＰの出力とサイリスタＳ１のゲートとの間に接続されている。【００９４】
コンパレータＣＯＭＰは、抵抗ＲＹを介して、第１のサイリスタＳ１のゲートに信号を出力することにより、第１のサイリスタＳ１の動作を制御するようになっている。【００９５】
このコンパレータＣＯＭＰは、発振信号と平均化抵抗Ｒａの他端の比較電圧とが入力され、発振信号と比較電圧とを比較した結果に基づいて、第１のサイリスタＳ１を制御するようになっている。【００９６】
例えば、コンパレータＣＯＭＰは、出力電圧が第１極性（負の極性）の場合において、比較電圧の大きさが発振信号の大きさ未満のときは、第１のサイリスタＳ１をオフするようになっている。【００９７】
また、コンパレータＣＯＭＰは、出力電圧が第１極性（負の極性）の場合において、比較電圧の大きさが発振信号の大きさ以上のときは、第１のサイリスタＳ１をオンするようになっている。【００９８】
一方、コンパレータＣＯＭＰは、出力電圧が第２の極性（正の極性）の場合において、第１のサイリスタＳ１をオフするようになっている。【００９９】
次に、以上のような構成を有するＬＥＤランプ点灯制御システム２０００におけるＬＥＤランプ点灯制御回路２００によるＬＥＤランプ点灯制御方法の一例について、説明する。【０１００】
例えば、ＬＥＤランプ点灯制御回路２００（コンパレータＣＯＭＰ）は、出力電圧が第１極性（負の極性）の場合において、比較電圧の大きさが発振信号の大きさ未満のときは、第１のサイリスタＳ１をオフする。【０１０１】
これにより、単相交流発電機Ａの出力電圧の負側の成分は、この負側の成分が所定の大きさ（目標電圧）未満のときに、複数のＬＥＤ素子Ａに供給されない。【０１０２】
また、ＬＥＤランプ点灯制御回路２００（コンパレータＣＯＭＰ）は、出力電圧が第１極性（負の極性）の場合において、比較電圧の大きさが発振信号の大きさ以上のときは、第１のサイリスタＳ１をオンする。【０１０３】
これにより、単相交流発電機Ａの出力電圧の負側の成分は、この負側の成分が所定の大きさ（目標電圧）以上になると、複数のＬＥＤ素子Ａに供給される。【０１０４】
一方、ＬＥＤランプ点灯制御回路２００（コンパレータＣＯＭＰ）は、出力電圧が第２の極性（正の極性）の場合において、第１のサイリスタＳ１をオフするようになっている。【０１０５】
これにより、単相交流発電機Ａの出力電圧の正側の成分が複数のＬＥＤ素子Ａに供給されない。【０１０６】
なお、ＬＥＤランプ点灯制御回路２００のその他の動作は、実施例１に示すＬＥＤランプ点灯制御回路１００の動作と同様である。【０１０７】
以上のように、本実施例に係るＬＥＤランプ点灯制御回路は、実施例１と同様に、第１の入力端子に一端が接続され、第２の入力端子に他端が接続された第１のスイッチ素子（第１のサイリスタ）と、第１のスイッチ素子を制御する第１の制御回路と、出力端子に一端が接続され、第１の入力端子に他端が接続された第２のスイッチ素子（第２のサイリスタ）と、第２のスイッチ素子を制御する第２の制御回路と、を備える。【０１０８】
第１の制御回路は、実施例１と同様に、単相交流発電機から出力された第１の入力端子の出力電圧が第１極性（負の極性）の場合において、第１のスイッチ素子をオンする。一方、第１の制御回路は、実施例１と同様に、出力電圧が第２極性（正の極性）の場合において、第１のスイッチ素子をオフする。【０１０９】
これにより、単相交流発電機から出力された第１の入力端子の第１極性（負の極性）の出力電圧がＬＥＤランプに供給される。一方、単相交流発電機から出力された第１の入力端子の第２極性（正の極性）の出力電圧はＬＥＤランプ（ＬＥＤ素子Ａ）に供給されない。【０１１０】
すなわち、単相交流発電機で発電された電力の負の成分がＬＥＤランプに供給される。【０１１１】
さらに、本実施例に係るＬＥＤランプ点灯制御回路では、第１のスイッチ素子（第１のサイリスタ）により電流が制限される。【０１１２】
このため、従来技術において課題となっていた、負荷などから負サージが発生した場合、または、バッテリＢの逆接時の逆電圧が印加される場合などにおいても、本発明に係るＬＥＤランプ点灯制御回路では、ＬＥＤ素子を保護するための追加のダイオードが、不要になる。【０１１３】
さらに、既述のように、従来技術では、例えば、バッテリＢの出力電流を制限してＬＥＤを点灯させる場合、ＬＥＤの直列接続数が増加してＬＥＤの順方向降下電圧ＶＦの合計が１２Ｖ以上になると、ＬＥＤ素子を点灯させることができない。例えば、白色ＬＥＤの順方向降下電圧ＶＦは、１個あたり３〜４Ｖあるので、４個以上の直列接続では点灯できない。【０１１４】
一方、本実施例に係るＬＥＤランプ点灯制御回路では、単相交流発電機の負側の電圧を全てＬＥＤ点灯に使用する。【０１１５】
そして、単相交流発電機は、通常、バッテリを充電するためにピーク電圧はバッテリ電圧以上になるよう設計される。アイドリングなど単相交流発電機の回転数の低い時でも、充電量が確保できるように、例えば、１０００ｒｐｍで２０Ｖ、１５００ｒｐｍで３０Ｖ程度の電圧を発生させる。この電圧を使ってＬＥＤ素子を点灯させることができるので４個以上の直列接続されたＬＥＤ素子でも点灯させることができる。【０１１６】
したがって、本実施例に係るＬＥＤランプ点灯制御回路は、実施例１と同様に、ランプにＬＥＤランプを適用して消費電力を低減することにより、単相交流発電機の負荷の低減を図りつつ、バッテリを搭載しない車両にも適用可能にすることができる。
【実施例３】
【０１１７】
本実施例３においては、ＬＥＤランプ点灯制御回路の第１の制御回路の構成を具体的にした構成の他の例について説明する。【０１１８】
ここで、図３は、本発明の一態様である実施例３に係るＬＥＤランプ点灯制御システム３０００の構成の一例を示す図である。なお、図３において、図１の符号と同じ符号は、実施例１と同様の構成を示す。【０１１９】
図３に示すように、ＬＥＤランプ点灯制御システム３０００は、バッテリＢと、単相交流発電機Ｇと、ＬＥＤランプ点灯制御回路３００と、複数のＬＥＤ素子Ａと、制限抵抗ＲＸと、を備える。【０１２０】
なお、図３に示すＬＥＤランプ点灯制御システム３０００の構成は、ＬＥＤランプ点灯制御回路３００以外は、図１に示すＬＥＤランプ点灯制御システム１０００と同様である。【０１２１】
ここで、ＬＥＤランプ点灯制御回路３００は、例えば、図３に示すように、第１の入力端子ＴＩＮ１と、第２の入力端子ＴＩＮ２と、出力端子ＴＯＵＴと、接地端子ＴＧと、第１のスイッチ素子（第１のサイリスタ）Ｓ１と、第２のスイッチ素子（第２のサイリスタ）Ｓ２と、第１の制御回路ＣＯＮ１と、第２の制御回路ＣＯＮ２と、を備える。【０１２２】
なお、図３に示すＬＥＤランプ点灯制御回路３００の構成は、第１の制御回路ＣＯＮ１の構成を具体的に記載している点以外は、図１に示すＬＥＤランプ点灯制御回路１００と同様である。【０１２３】
図３に示すように、第１の制御回路ＣＯＮ１は、第１のダイオードＤ１と、第２のダイオードＤ２と、第３のダイオードＤ３と、第１の抵抗Ｒ１と、第２の抵抗Ｒ２と、第３の抵抗Ｒ３と、第４の抵抗Ｒ４と、第５の抵抗Ｒ５と、第６の抵抗Ｒ６と、第１のコンデンサＣ１と、第２のコンデンサＣ２と、ショットキーバリアダイオードＤＸと、第１のＰＮＰ型バイポーラトランジスタＴｒ１と、第２のＰＮＰ型バイポーラトランジスタＴｒ２と、を有する。【０１２４】
第１の抵抗Ｒ１は、第２の入力端子ＴＩＮ２に一端が接続されている。【０１２５】
第１のダイオードＤ１は、第１の抵抗Ｒ１の他端にカソードが接続されている。【０１２６】
第２の抵抗Ｒ２は、第１のダイオードＤ１のアノードに一端が接続され、接地端子ＴＧに他端が接続されている。【０１２７】
第１のコンデンサＣ１は、第１のダイオードＤ１のアノードと接地端子ＴＧとの間で、第２の抵抗Ｒ２と並列に接続されている。【０１２８】
第３の抵抗Ｒ３は、第１のダイオードＤ１のアノードに一端が接続されている。【０１２９】
ショットキーバリアダイオードＤＸは、第３の抵抗Ｒ３の他端にアノードが接続されている。例えば、このショットキーバリアダイオードＤＸの降伏電圧を調整することにより、ＬＥＤ素子Ａを発光させる出力電圧の目標電圧を調整することができる。【０１３０】
第４の抵抗Ｒ４は、ショットキーバリアダイオードＤＸのカソードに一端が接続され、接地端子ＴＧに他端が接続されている。【０１３１】
第２のダイオードＤ２は、第１の入力端子ＴＩＮ１にカソードが接続されている。【０１３２】
第５の抵抗Ｒ５は、第２のダイオードＤ２のアノードに一端が接続されている。【０１３３】
第１のＰＮＰ型バイポーラトランジスタＴｒ１は、第５の抵抗Ｒ５の他端にコレクタが接続され、接地端子ＴＧにエミッタが接続され、ショットキーバリアダイオードＤＸのカソードにベースが接続されている。【０１３４】
第６の抵抗Ｒ６は、第１のサイリスタＳ１のゲートに一端が接続されている。【０１３５】
第３のダイオードＤ３は、第６の抵抗Ｒ６の他端にカソードが接続されている。【０１３６】
第２のＰＮＰ型バイポーラトランジスタＴｒ２は、第３のダイオードＤ３のアノードにコレクタが接続され、接地端子ＴＧにエミッタが接続され、第１のＰＮＰ型バイポーラトランジスタＴｒ１のコレクタにベースが接続されている。【０１３７】
第２のコンデンサＣ２は、第２の入力端子ＴＩＮ２に一端が接続され、接地端子ＴＧに他端が接続されている。【０１３８】
この第２のコンデンサＣ２は、ＬＥＤ素子Ａを発光させるための電力を蓄積するようになっている。したがって、第２のコンデンサＣ２の容量値は、第１のコンデンサＣ１の容量値よりも大きくなるように設定されている。【０１３９】
また、既述のように、第２の入力端子ＴＩＮ２と接地との間で、電流を制限する制限抵抗ＲＸが、ＬＥＤ素子Ａと直列に、接続されている。【０１４０】
次に、以上のような構成を有するＬＥＤランプ点灯制御システム３０００におけるＬＥＤランプ点灯制御回路３００によるＬＥＤランプ点灯制御方法の一例について、説明する。【０１４１】
先ず、例えば、出力電圧が第１極性（負の極性）の場合において、第１のコンデンサＣ１の充電電圧が低いとき、ショットキーバリアダイオードＤＸがオフし、第１のＰＮＰ型バイポーラトランジスタＴｒ１がオフし、第２のＰＮＰ型バイポーラトランジスタＴｒ２がオンする。【０１４２】
これにより、第１のサイリスタＳ１がオンし、ＬＥＤ素子Ａは、第１極性（負の極性）の電流が流れて発光するとともに、第２のコンデンサＣ２が充電される。  
すなわち、ＬＥＤランプ点灯制御回路３００は、出力電圧が第１極性（負の極性）の場合において、第１のサイリスタＳ１をオンする。【０１４３】
そして、出力電圧が第１極性（負の極性）の場合において、第１のコンデンサＣ１の充電電圧が高くなると、ショットキーバリアダイオードＤＸがオンし、第１のＰＮＰ型バイポーラトランジスタＴｒ１がオンし、第２のＰＮＰ型バイポーラトランジスタＴｒ２がオフする。【０１４４】
これにより、第１のサイリスタＳ１がオフする。このとき、ＬＥＤ素子Ａは、第２のコンデンサＣ２に蓄積された電力により発光する。【０１４５】
したがって、本実施例３においては、出力電圧が第１極性（負の極性）の場合において、第１のサイリスタＳ１がオフに制御され得る。【０１４６】
一方、例えば、出力電圧が第２極性（正の極性）の場合において、第２のＰＮＰ型バイポーラトランジスタＴｒ２がオフする。【０１４７】
これにより、第１のサイリスタＳ１がオフする。このとき、ＬＥＤ素子Ａは、第２のコンデンサＣ２に蓄積された電力により発光する。【０１４８】
すなわち、ＬＥＤランプ点灯制御回路３００は、出力電圧が第２の極性（正の極性）の場合において、第１のサイリスタＳ１をオフするようになっている。【０１４９】
これにより、単相交流発電機Ａの出力電圧の正側の成分が複数のＬＥＤ素子Ａに供給されない。【０１５０】
なお、ＬＥＤランプ点灯制御回路３００のその他の動作は、実施例１に示すＬＥＤランプ点灯制御回路１００の動作と同様である。【０１５１】
以上のように、本実施例に係るＬＥＤランプ点灯制御回路は、実施例１と同様に、第１の入力端子に一端が接続され、第２の入力端子に他端が接続された第１のスイッチ素子（第１のサイリスタ）と、第１のスイッチ素子を制御する第１の制御回路と、出力端子に一端が接続され、第１の入力端子に他端が接続された第２のスイッチ素子（第２のサイリスタ）と、第２のスイッチ素子を制御する第２の制御回路と、を備える。【０１５２】
第１の制御回路は、実施例１と同様に、単相交流発電機から出力された第１の入力端子の出力電圧が第１極性（負の極性）の場合において、第１のスイッチ素子をオンする。一方、第１の制御回路は、実施例１と同様に、出力電圧が第２極性（正の極性）の場合において、第１のスイッチ素子をオフする。【０１５３】
これにより、単相交流発電機から出力された第１の入力端子の第１極性（負の極性）の出力電圧がＬＥＤランプに供給される。一方、単相交流発電機から出力された第１の入力端子の第２極性（正の極性）の出力電圧はＬＥＤランプ（ＬＥＤ素子Ａ）に供給されない。【０１５４】
すなわち、単相交流発電機で発電された電力の負の成分がＬＥＤランプに供給される。【０１５５】
さらに、本実施例に係るＬＥＤランプ点灯制御回路では、第１のスイッチ素子（第１のサイリスタ）により電流が制限される。【０１５６】
このため、従来技術において課題となっていた、負荷などから負サージが発生した場合、または、バッテリＢの逆接時の逆電圧が印加される場合などにおいても、本発明に係るＬＥＤランプ点灯制御回路では、ＬＥＤ素子を保護するための追加のダイオードが、不要になる。【０１５７】
さらに、既述のように、従来技術では、例えば、バッテリＢの出力電流を制限してＬＥＤを点灯させる場合、ＬＥＤの直列接続数が増加してＬＥＤの順方向降下電圧ＶＦの合計が１２Ｖ以上になると、ＬＥＤ素子を点灯させることができない。例えば、白色ＬＥＤの順方向降下電圧ＶＦは、１個あたり３〜４Ｖあるので、４個以上の直列接続では点灯できない。【０１５８】
一方、本実施例に係るＬＥＤランプ点灯制御回路では、単相交流発電機の負側の電圧を全てＬＥＤ点灯に使用する。【０１５９】
そして、単相交流発電機は、通常、バッテリを充電するためにピーク電圧はバッテリ電圧以上になるよう設計される。アイドリングなど単相交流発電機の回転数の低い時でも、充電量が確保できるように、例えば、１０００ｒｐｍで２０Ｖ、１５００ｒｐｍで３０Ｖ程度の電圧を発生させる。この電圧を使ってＬＥＤ素子を点灯させることができるので４個以上の直列接続されたＬＥＤ素子でも点灯させることができる。【０１６０】
したがって、本実施例に係るＬＥＤランプ点灯制御回路は、実施例１と同様に、ランプにＬＥＤランプを適用して消費電力を低減することにより、単相交流発電機の負荷の低減を図りつつ、バッテリを搭載しない車両にも適用可能にすることができる。【０１６１】
なお、実施例は例示であり、発明の範囲はそれらに限定されない。
【符号の説明】
【０１６２】
１００、１００Ａ、２００、３００  ＬＥＤランプ点灯制御回路
１０００、１０００Ａ、２０００、３０００  ＬＥＤランプ点灯制御システム
Ｂ  バッテリ
Ｇ  単相交流発電機
Ｌ  コイル
Ａ  ＬＥＤ素子
ＲＸ  制限抵抗
ＴＩＮ１  第１の入力端子
ＴＩＮ２  第２の入力端子
ＴＯＵＴ  出力端子
ＴＧ  接地端子
Ｓ１  第１のスイッチ素子（第１のサイリスタ）
Ｓ２  第２のスイッチ素子（第２のサイリスタ）
ＣＯＮ１  第１の制御回路
ＣＯＮ２  第２の制御回路
ＤＲ１  第１の分圧抵抗
ＤＲ２  第２の分圧抵抗
Ｄ  ダイオード
Ｃａ  平均化コンデンサ
Ｒａ  平均化抵抗
ＯＳＣ  発振回路
ＣＯＭＰ  コンパレータ
ＲＹ  抵抗
Ｄ１  第１のダイオード
Ｄ２  第２のダイオード
Ｄ３  第３のダイオード
Ｒ１  第１の抵抗
Ｒ２  第２の抵抗
Ｒ３  第３の抵抗
Ｒ４  第４の抵抗
Ｒ５  第５の抵抗
Ｒ６  第６の抵抗
Ｃ１  第１のコンデンサ
Ｃ２  第２のコンデンサ
ＤＸ  ショットキーバリアダイオード
Ｔｒ１  第１のＰＮＰ型バイポーラトランジスタ
Ｔｒ２  第２のＰＮＰ型バイポーラトランジスタ
【要約】
ＬＥＤランプ点灯制御回路は、一端が接地に接続された単相交流発電機のコイルの他端が接続される第１の入力端子と、アノード側が前記接地に接続されたＬＥＤ素子のカソード側が接続される第２の入力端子と、負荷が接続される出力端子と、前記接地が接続される接地端子と、前記第１の入力端子に一端が接続され、前記第２の入力端子に他端が接続された第１のスイッチ素子と、前記第１のスイッチ素子を制御する第１の制御回路と、前記出力端子に一端が接続され、前記第１の入力端子に他端が接続された第２のスイッチ素子と、前記第２のスイッチ素子を制御する第２の制御回路と、を備える。【図１】
0005602945.tif 000002
【図２】
0005602945.tif 000003
【図３】
0005602945.tif 000004
【図４】
0005602945.tif 000005